(57)【要約】      （修正有）【課題】回路動作に起因する信号レベル変動によって生じるシンボルエラーについて的確に検査することが可能な無線送受信器の検査方法、検査システム、及び無線受信機を提供する。【解決手段】多値変復調機能を有する無線送受信機の検査方法は、無線送受信機に含まれる無線送信器の出力を無線受信器に接続するステップと、無線送信器に対して送信データを入力するステップと、複数の値が異なるゲイン誤差を発生させて、無線受信器において復調前の受信信号に対して印加するステップと、複数の値が異なるゲイン誤差が印加された受信信号を復調することで得られた複数の受信データのそれぞれについて送信データと比較することにより、エラー判定を実行するステップと、エラー判定の結果に基づいてエラー発生しきい値を求めるステップを備えている。【選択図】図１３
2014090236.tif 000002
【特許請求の範囲】
【請求項１】
多値変復調機能を有する無線送受信機の検査方法であって、
前記無線送受信機に含まれる無線送信器の出力を無線受信器に接続するステップと、
前記無線送信器に対して送信データを入力するステップと、
複数の値が異なるゲイン誤差を発生させて、前記無線受信器において復調前の受信信号に対して印加するステップと、
前記複数の値が異なるゲイン誤差が印加された受信信号を復調することで得られた複数の受信データのそれぞれについて前記送信データと比較することにより、エラー判定を実行するステップと、
前記エラー判定の結果に基づいてエラー発生しきい値を求めるステップを備えた、
無線送受信機の検査方法。
【請求項２】
前記ゲイン誤差を復調前の受信信号に対して印加するステップでは、
前記ゲイン誤差をデジタル変換後であって復調前の受信信号に対して印加する、
請求項１記載の無線送受信機の検査方法。
【請求項３】
前記ゲイン誤差を復調前の受信信号に対して印加するステップでは、
前記ゲイン誤差を自動ゲイン調整後であって復調前の受信信号に対して印加する、
請求項１記載の無線送受信機の検査方法。
【請求項４】
変調器から一定振幅を有する信号が出力されるように調整された前記無線送信器に接続された前記無線受信器における復調前の受信信号と、前記変調から出力された送信信号を比較して信号レベル変動量を測定するステップと、
測定により得られた信号レベル変動量と、前記エラー発生しきい値とを比較して、エラーが発生しないかどうかの判定を行うステップを備える、
請求項１記載の無線送受信機の検査方法。
【請求項５】
多値変復調機能を有する無線送受信機の検査方法であって、
前記無線送受信機に含まれる無線送信器の出力を無線受信器に接続するステップと、
前記無線送信器に対して送信データを入力するステップと、
それぞれ異なる複数の変化速度を有するゲイン誤差を、デジタル変換後であって自動ゲイン調整前の受信信号に対して印加するステップと、
前記複数の変化速度のゲイン誤差が印加された受信信号を復調することで得られた複数の受信データのそれぞれについて前記送信データと比較することにより、エラー判定を実行するステップと、
前記エラー判定の結果に基づいてエラー発生しきい値を求めるステップを備えた、
無線送受信機の検査方法。
【請求項６】
変調器から一定の変化速度（変化速度がゼロの場合も含む）を有する信号が出力されるように調整された前記無線送信器に接続された前記無線受信器において復調前の受信信号と、前記変調から出力された送信信号を比較して信号レベル変化速度を測定するステップと、
測定により得られた信号レベル変化速度と、前記エラー発生しきい値とを比較して、エラーが発生しないかどうかの判定を行うステップを備える、
請求項５記載の無線送受信機の検査方法。
【請求項７】
多値変復調機能を有する無線送受信機の検査システムであって、
前記無線送受信機に含まれる無線送信器の出力を無線受信器に接続した状態で、複数の値が異なるゲイン誤差を発生させて、前記無線受信器において復調前の受信信号に対して印加する手段と、
前記複数の値が異なるゲイン誤差が印加された受信信号を復調することで得られた複数の受信データのそれぞれについて前記送信データと比較することにより、エラー判定し、エラー発生しきい値を求める手段を備えた、
検査システム。
【請求項８】
多値変復調機能を有する無線送受信機の検査システムであって、
前記無線送受信機に含まれる無線送信器の出力を無線受信器に接続した状態で、それぞれ異なる複数の変化速度を有するゲイン誤差を、デジタル変換後であって自動ゲイン調整前の受信信号に対して印加する手段と、
前記複数の変化速度のゲイン誤差が印加された受信信号を復調することで得られた複数の受信データのそれぞれについて前記送信データと比較することにより、エラー判定を実行し、エラー発生しきい値を求めるステップを備えた、
検査システム。
【請求項９】
多値変復調機能を有する無線受信機であって、
無線送信器から送信データを変調した送信信号を受信した状態で、複数の値が異なるゲイン誤差を発生させて、復調前の受信信号に対して印加する手段と、
前記複数の値が異なるゲイン誤差が印加された受信信号を復調することで得られた複数の受信データのそれぞれについて前記送信データと比較することにより、エラー判定し、エラー発生しきい値を求める手段を備えた、
無線受信機。
【請求項１０】
多値変復調機能を有する無線受信機であって、
無線送信器から送信データを変調した送信信号を受信した状態で、それぞれ異なる複数の変化速度を有するゲイン誤差を、デジタル変換後であって自動ゲイン調整前の受信信号に対して印加する手段と、
前記複数の変化速度のゲイン誤差が印加された受信信号を復調することで得られた複数の受信データのそれぞれについて前記送信データと比較することにより、エラー判定を実行し、エラー発生しきい値を求める手段を備えた、
無線受信機。
【発明の詳細な説明】
【技術分野】
【０００１】
本発明は、無線送受信器の検査技術に関する。
【背景技術】
【０００２】
インターネットや映像配信等の広帯域マルチメディア通信サービスの爆発的な需要増加に伴い、より大容量かつ高信頼な高密度の変調方式を使用した無線通信システムの導入が進んでいる。大容量のデータを一度に伝送可能とする方式として、ＱＡＭ（Quadrature Amplitude Modulation）がある。超多値変調方式として２６５ＱＡＭ、５１２ＱＡＭなどがある。しかし、表現できる値の大きさに比例して伝送効率がよくなるが、ノイズが入りやすくなるという問題が生ずる。
【０００３】
また、無線送受信器は、回路動作に起因する信号レベル変動に伴い、シンボル（ビット）エラーが発生して回線品質が劣化する。特にＱＡＭのような振幅変調方式の場合、回線品質を維持するためには、多値数の増加とともに信号レベル変動量を小さくしていかなければならない。ところが、ノイズのような複雑な信号レベル変動に対して、一般的なスペクトラムアナライザ等による検査だけでは、性能の良し悪しを判断することが難しい。よって、ポイントツーポイントマイクロ波無線装置や次世代ＣＡＴＶ規格（ＤＶＢ−Ｃ２）装置等で用いられる５１２ＱＡＭを超えるような超多値変調方式は、特に信号レベル変動量を抑えることが必要である。
【０００４】
特許文献１の図１は、デジタル衛星放送用受信機内部の回路構成を開示している。そして、この回路構成は、ＰＳＫ（Phase-Shift Keying）変調に対応したエラー訂正手段を含んでいる。しかし、この回路構成は、受信デジタル部からの制御によって受信アナログ部をゲイン制御する機能を実現するものであり、受信デジタル部における制御については記載されていない。
特許文献２の図１は、増幅器６や減衰器９が示されているが、増幅器６や減衰器９を制御する仕組みを持っておらず、ビットエラーの許容範囲を計測することができない。
【先行技術文献】
【特許文献】
【０００５】
【特許文献１】特開平１０−３０４２７６号公報
【特許文献２】特開平０６−０７８０１３号公報
【発明の概要】
【発明が解決しようとする課題】
【０００６】
特許文献１、２は、無線送受信器において発生しうる回路動作に起因する信号レベル変動によって生じるシンボルエラーについて的確に検査する方法を開示していない。
【０００７】
本発明は、上述の課題を解決するためになされたものであり、無線送受信器において発生しうる回路動作に起因する信号レベル変動によって生じるシンボルエラーについて的確に検査することが可能な無線送受信器の検査方法、検査システム、及び無線受信機を提供することを目的とする。
【課題を解決するための手段】
【０００８】
一態様にかかる無線送受信機の検査方法は、多値変復調機能を有する無線送受信機の検査方法である。そして、
前記無線送受信機に含まれる無線送信器の出力を無線受信器に接続するステップと、
前記無線送信器に対して送信データを入力するステップと、
複数の値が異なるゲイン誤差を発生させて、前記無線受信器において復調前の受信信号に対して印加するステップと、
前記複数の値が異なるゲイン誤差が印加された受信信号を復調することで得られた複数の受信データのそれぞれについて前記送信データと比較することにより、エラー判定を実行するステップと、
前記エラー判定の結果に基づいてエラー発生しきい値を求めるステップを備えている。
【０００９】
一態様にかかる検査システムは、
多値変復調機能を有する無線送受信機の検査システムである。そして、
前記無線送受信機に含まれる無線送信器の出力を無線受信器に接続した状態で、それぞれ異なる複数の変化速度を有するゲイン誤差を、デジタル変換後であって自動ゲイン調整前の受信信号に対して印加する手段と、
前記複数の変化速度のゲイン誤差が印加された受信信号を復調することで得られた複数の受信データのそれぞれについて前記送信データと比較することにより、エラー判定を実行し、エラー発生しきい値を求めるステップを備えている。
【００１０】
一態様にかかる無線受信機は、
多値変復調機能を有する無線受信機である。そして、
無線送信器から送信データを変調した送信信号を受信した状態で、複数の値が異なるゲイン誤差を発生させて、復調前の受信信号に対して印加する手段と、
前記複数の値が異なるゲイン誤差が印加された受信信号を復調することで得られた複数の受信データのそれぞれについて前記送信データと比較することにより、エラー判定し、エラー発生しきい値を求める手段を備えている。
【００１１】
一態様にかかる無線受信機は、
多値変復調機能を有する無線受信機である。そして、
無線送信器から送信データを変調した送信信号を受信した状態で、それぞれ異なる複数の変化速度を有するゲイン誤差を、デジタル変換後であって自動ゲイン調整前の受信信号に対して印加する手段と、
前記複数の変化速度のゲイン誤差が印加された受信信号を復調することで得られた複数の受信データのそれぞれについて前記送信データと比較することにより、エラー判定を実行し、エラー発生しきい値を求める手段を備えている。
【発明の効果】
【００１２】
本発明によれば、無線送受信器において発生しうる回路動作に起因する信号レベル変動によって生じるシンボルエラーについて的確に検査することが可能な無線送受信器の検査方法、検査システム、及び無線受信機を提供することができる。
【図面の簡単な説明】
【００１３】
【図１】実施の形態１にかかる無線送受信器の検査方法、検査システムを示す図である。
【図２】一般的な送信器から受信器への信号レベルの変移を示す図である。
【図３】信号レベル波形および復調信号波形の比較を示す図である。
【図４】受信のゲイン可変アンプ部４０１でデジタル制御の自動ゲイン調整を行う場合の図である。
【図５】送信（または受信）のゲイン可変アンプ部（１０４、１０５）にノイズ４０６が印加される場合を示す図である。
【図６】ＱＡＭ変調方式において、その多値数と許容される信号レベル変動量との関係を示す図である。
【図７】シンボルレートと、許容される信号レベル変動量との関係を示す図である。
【図８】ゲイン誤差発生回路１１０による復調器入力信号波形へのレベル変動を示す図である。
【図９】ゲイン誤差発生回路１１０の出力ΔＧをパラメタに、エラー判定回路によりエラーの個数（あるいは有無）の関係の例を示す図である。
【図１０】第２の実施の形態による無線送受信器の検査方法、検査システムを示す図である。
【図１１】第３の実施の形態による無線送受信器の検査方法を示す図である。
【図１２】本発明の第４の実施の形態による無線送受信器の検査方法を示す図である。
【図１３】図９の方法のフローチャートである。
【図１４】図１０の方法のフローチャートである。
【図１５】第３の実施の形態のフローチャートである。
【図１６】第４の実施の形態のフローチャートである。
【図１７】測定装置を内蔵した無線受信機の図である。
【発明を実施するための形態】
【００１４】
発明の実施の形態１．
次に、本発明の実施の形態の構成について図面を参照して詳細に説明する。図１は、本発明の第１の実施の形態による無線送受信器の検査方法を実行する検査システム３の構成を示す図である。
【００１５】
送信器１は、デジタル信号変調器（ＭＯＤ）１０１、送信波形整形フィルタ（ＰＳＦ）１０２、ＤＡ変換器（ＤＡＣ）１０３、ゲイン可変アンプ１０４を備えている。
【００１６】
ＭＯＤ１０１は、入力信号である送信データに対してデジタル信号変調処理を行う。ＰＳＦ１０２は、変調後のデジタル信号に対して波形整形処理を行う。具体的に、ＰＳＦ１０２は、シンボル間干渉が少なくなるように帯域制限を行う。ＤＡＣ１０３は、ＰＳＦ１０２において帯域制限が行われたデジタル信号をアナログ信号に変換する。ゲイン可変アンプ１０４は、アナログ信号のゲイン制御を行う。ゲイン制御後のアナログ信号、即ち送信信号は、受信器２に入力する。
【００１７】
受信器２は、ゲイン可変アンプ１０５、ＡＤ変換器（ＡＤＣ）１０６、受信波形整形フィルタ１０７、自動ゲイン調整回路（ＡＧＣ）１０８、デジタル信号復調器（ＤＥＭ）１０９を備えている。
【００１８】
ゲイン可変アンプ１０５は、送信器１より出力された送信信号（アナログ信号）を入力し、ゲイン制御を行う。ＡＤ変換器（ＡＤＣ）１０６は、ゲイン制御後のアナログ信号をデジタル信号に変換する。受信波形整形フィルタ１０７は、デジタル信号に対して波形整形処理を行う。自動ゲイン調整回路（ＡＧＣ）１０８は、デジタル信号に対してゲイン調整を行う。デジタル信号復調器（ＤＥＭ）１０９は、ゲイン調整後のデジタル信号に対して復調処理を行い、受信データを出力する。
【００１９】
信号レベル測定装置２０は、エラー判定回路（ＢＥＲＴ）１１１とゲイン誤差発生回路１１０とを備える。両回路は、受信器２内に内蔵、あるいは外付けしてもよい。エラー判定回路１１１は、送信器１のデジタル信号変調器１０１への入力される変調前のデジタル値（即ち、送信データ）と、受信器２のデジタル信号復調器１０９から出力された、復調後のデジタル値（即ち、受信データ）とを入力する。そして、エラー判定回路１１１は、これらの値を比較して、エラー判定を行う。具体的には、各値について一致すれば、正常であり、不一致であればエラーと判定する。ゲイン誤差発生回路１１０は、エラー判定回路１１１のエラー判定結果に基づいてゲイン誤差ΔＧを出力する。ゲイン誤差発生回路１１０から出力されたゲイン誤差ΔＧは、ＡＧＣ１０８の出力値であって、デジタル信号復調器１０９において復調される前の信号に対して印加される。
【００２０】
図１７にエラー判定回路（ＢＥＲＴ）１１１とゲイン誤差発生回路１１０を内蔵する処理部２００を備えた受信器２の構成を示す。なお、一般に無線送受信器は、キャリア周波数変換を行うミキサーや、不要成分を除去するフィルタ等を備えているが、説明の簡略化のため、図１では省略している。
【００２１】
次に、本実施の形態１にかかる無線送受信器の検査の流れについて図面を参照して詳細に説明する。図２〜図７は、本発明にかかる検査方法において前提となる技術内容を示している。図８、９は、本発明にかかる検査方法を示す。
図２は、一般的な送信器から受信器への信号レベルの変動を示す図である。図２の左図に示されるように、送信器１の出力信号レベルはマクロ的には変動しないのに対して、ミクロ的には先述の変調器１０１や送信波形整形フィルタ１０２により信号レベルは大きく変動する。そして、中央図で示すように、無線空間のフェージング（時間差をもって到達した電波の波長が干渉し合い、電波レベルの強弱に影響を与える現象）により、比較的ゆっくりとした信号レベル変動が起きる。
【００２２】
このレベル変動に対して、図２の右図に示されるように、受信器２の自動ゲイン調整回路１０８がレベルを一定にするよう動作する。これにより、フェージングによるレベル変動の影響を除去して正しい復調ができる。これに対して、元々の送信信号のレベル変動（左下図）は保持されなければならないため、ＡＧＣ１０８の追従スピードは制限される。よって、ＡＧＣ１０８の追従スピードより速い不要な信号レベル変動が送受信器間で発生すると、その影響を除去できなくなってしまう。
【００２３】
図３は、復調器１０９の入力に、不要な信号レベル変動が有る場合とない場合における、信号レベル波形および復調信号波形の比較を示す図である。図３の左図は、不要な信号レベル変動のない理想的な状態を示す図である。ここで、復調されたシンボルは判定格子内の中心にあるため、シンボル（ビット）エラーは発生しない。なお、簡略化のため、熱雑音等の影響は無視している。また、同じ理由により、一つのビットに対して、一つの閾値で０、１の判定を行う硬判定を仮定している。
一方、図３の右図のように、不要な信号レベル変動があると、復調されたシンボルは間違った判定格子内に移動してしまうため、シンボル（ビット）エラーとなってしまう。
【００２４】
図４を用いて、不要な信号レベル変動の第１の要因例について説明する。受信器２のゲイン可変アンプ部１０５において、アナログ信号に対してデジタル制御の自動ゲイン調整を行うことにより、不要な信号レベル変動が発生する場合がある。このようなアナログ信号に対する自動ゲイン調整は、多くの送受信器において用いられる。
信号レベル検出回路４０２は、検出されたアナログ出力値をＡＤ変換器４０３に出力する。ＡＤ変換器４０３は、このアナログ出力値をデジタル変換して、デジタル制御回路４０４に出力する。デジタル制御回路４０４は、このデジタル出力値が所望値になるように、ＤＡ変換器４０５を経由して、可変アンプ４０１を制御する。
図４の右図に示されるように、可変アンプ部１０５の制御値（ＤＡ出力）が変化する際の過渡応答波形（立ち上がり／下がり）において不要な信号レベル変動が発生する。なお、送信器１のゲイン可変アンプ１０４において広く用いられる自動レベル調整（ＡＬＣ）でも、同様の信号レベル変動が発生する。
【００２５】
図５を用いて、不要な信号レベル変動の第２の要因例について説明する。送信器１又は受信器２におけるゲイン可変アンプ部１０４、１０５にノイズ４０６が印加されると、不要な信号レベル変動が発生する場合がある。このようなノイズ４０６としては、例えば、電源カップリング（静電容量）ノイズが挙げられる。ノイズ４０６は、図４において説明した例と比べて、一般には複雑な信号レベル変動波形を有する。ここでいう、"複雑"とは変動の大きさや速度が一定でないことをいう。よって、このレベル変動を一意に検査評価することは難しく、異なる送受信器間での特性比較も難しい。仮に何らかの処理でレベル変動を見積もったとしても、図６、７を用いて後述する判定基準にそのまま当てはめられないため検査判定できない。また、温度、電源電圧、経年劣化起因等の、レベル変動の環境変化に対してマージンが適切かどうかも検査判定できない。
【００２６】
図６は、ＱＡＭ変調方式において、その多値数と、シンボルエラー非発生の条件下で、許容される信号レベル変動量との関係を示す図である。図６の右図が示すように、多値数が増加すると、許容信号レベル変動量は減少する。具体的には、図６の左図が示すような１６ＱＡＭと６４ＱＡＭとの例は、同じ変動量（ΔＧ）で１６ＱＡＭではエラーとならないのに対して、データ判定の格子間隔が狭くなっていくため６４ＱＡＭではエラーとなる。ここで、ΔＧはＡＧＣ１０８が追従できないスピードで高速に変化、あるいは、ステップ状に変化すると仮定している。実際には、同ＡＧＣ１０８による追従の効果により、先述した信号レベル変動（図４、５）は一部抑制されてこの許容量は緩和される。
【００２７】
図７は、シンボルレートと、（シンボルエラー非発生の条件下で）許容される信号レベル変動量との関係を示す図である。ここでは、図６の場合と異なって、許容量は傾きΔＧ／Δｔで定義される。具体的には、図７の左上図のような信号レベル変動に対して、図７の左下図のような信号レベル変動量ΔＧ／Δｔとなる。右図が示すように、シンボルレートの増加とともにＡＧＣ１０８の追従スピードも速くできるため、許容ΔＧ／Δｔも大きくなる。この判定基準は、先述のデジタル制御に伴うレベル変動（図４）に対して有効であるものの、ノイズに伴う変動（図５）に対してはやはりΔＧ／Δｔを測定することが難しく適用は難しい。
【００２８】
図８は、ゲイン誤差発生回路１１０により印加されるゲイン誤差によって発生する、復調器１０９の入力信号波形に対するレベル変動を示す図である。図８の左図は、ゲイン誤差回路１１０の出力値ΔＧ＝０、即ちゲイン誤差回路１１０からゲイン誤差が印加されていないときの信号波形を示す。この場合には、無線送受信器の各構成要素に起因した不要な信号レベル変動が、入力信号波形に存在している。これに対して、図８の右上図はステップ状の出力値ΔＧを印加した場合を示す。また、図８の右下図は、傾きを持ったΔＧ／Δｔを印加した場合を示す。ゲイン誤差発生回路１１０の出力ΔＧ（ΔＧ／Δｔ）は、再現性よく制御される。
【００２９】
図９は、ゲイン誤差発生回路１１０の出力値ΔＧをパラメタに、エラー判定回路１１１によりエラーの個数（あるいは有無）の関係の例を示す図である。ΔＧが小さいとエラーは発生しないのに対して、ΔＧを大きくしていくとエラーが発生する。この図において破線で示す値は、エラー発生しきい値を示す。エラー発生しきい値は、正常と判定したときのΔＧの最大値と、エラーと判定したときのΔＧの最小値との間の値である。エラー発生しきい値は、検査対象である送受信器の信号レベル変動に対するマージンと定義できる。換言すれば、エラー発生しきい値は、検査対象である送受信器が、さらに許容できる信号レベルの変動幅を示す値である。
【００３０】
続いて、図１３に示すフローチャートを用いて、本実施の形態１にかかる無線送受信器の検査方法について説明する。
【００３１】
まず、信号レベル測定装置２０では、ゲイン誤差発生回路１１０の出力値ΔＧを、初期値として「０」に設定する（Ｓ２０１）。その後、送信データが送信器１に入力される。送信器１は、各構成要素１０１〜１０４にて各処理を実行し、送信信号を受信器２に出力する。受信器２は、送信信号を入力し、各構成要素１０５〜１０９にて各処理を実行し、受信データを出力する。
【００３２】
エラー判定回路１１１は、送信データと受信データと比較して、ビットエラーをカウントする（Ｓ２０２）。そして、エラー判定回路１１１は、カウント値が０を超えたか否か、即ち、ビットエラーが発生したか否かを判定する（Ｓ２０３）。エラー判定回路１１１は、これらステップＳ２０２、Ｓ２０３によって、エラー判定（Ｓ２０２、Ｓ２０３）を実行する。
【００３３】
エラー判定回路１１１は、カウント値が０を超え、エラーがあると判定した場合には、不良と判定して処理を終了する（Ｓ２０５）。
エラー判定回路１１１は、カウント値が０のままであり、エラーがないと判定した場合には、ΔＧを所定値だけ増加させる（Ｓ２０４）。ここで所定値は、固定値であってもよく、異なる複数値から選択された値であってもよい。
【００３４】
ゲイン誤差発生回路１１０は、所定値だけ増加したΔＧを、ＡＧＣ１０８後の信号に対して印加する。デジタル信号復調器１０９は、ΔＧが印加された信号を復調処理し、受信データを生成する。エラー判定回路１１１は、この受信データと、送信データとを入力して、再度、ステップＳ２０２及びＳ２０３のエラー判定処理を実行して、エラーが発生するまでこれを繰り返す（Ｓ２０２~Ｓ２０４）。
【００３５】
本実施の形態１にかかる無線送受信器の検査方法においては、このような処理を実行することによって、図９に示されるようなΔＧとエラーの関係が求められ、エラー発生しきい値を求めることができる。
【００３６】
なお、繰り返しのアルゴリズムには、本実施形態に限らずバイナリサーチ等を適用してもよい。また、図１３に示すフローチャートでは、初期値としてΔＧを「０」とし、徐々にその値を大きくして、エラーが発生したときのΔＧを求めたが、これに限らず、初期値としてΔＧをエラーの発生が見込まれる十分に大きな値とし、徐々にその値を小さくして、エラーが消滅したときのΔＧを求めるようにしてもよい。
【００３７】
このように、本実施の形態１にかかる無線送受信器の検査方法においては、ノイズのような複雑な信号レベル変動に対しても、同じ基準による一貫した検査判定を実現できる。即ち、かかる検査方法では、ノイズに対する装置のマージンを測定できる。特にポイントツーポイント装置の場合、設置する送受信器ペアに適用することで、高精度な検査ができる。言い換えると、歩留を高くできる。さらに、送受信器の変復調部分（ＩＤＵ：In Door Unit）とＲＦアナログ部分（ＯＤＵ：Out Door Unit）とが別装置になっているような場合、周波数等が異なるタイプのＯＤＵ間でも同一基準で検査できるという効果も奏する。
【００３８】
発明の実施の形態２．
図１０は、発明の実施の形態２にかかる無線送受信器の検査方法を実行する検査システム３の構成を示す図である。発明の実施の形態２は、発明の実施の形態１の構成と異なって、ＡＧＣ１０８の入力にゲイン誤差発生回路１１０を接続する。
【００３９】
続いて、図１４に示すフローチャートを用いて、本実施の形態２にかかる無線送受信器の検査方法について説明する。
【００４０】
まず、信号レベル測定装置２０は、ゲイン誤差発生回路１１０の出力値の変化速度ΔＧ／Δｔを、初期値として「０」に設定する（Ｓ２１１）。つまり、この場合には、ゲイン誤差発生回路１１０の出力値は変化しない一定の値が出力される。その後、送信データが送信器１に入力される。送信器１は、各構成要素１０１〜１０４にて各処理を実行し、送信信号を受信器２に出力する。受信器２は、送信信号を入力し、各構成要素１０５〜１０９にて各処理を実行し、受信データを出力する。
【００４１】
エラー判定回路１１１は、送信データと受信データと比較して、ビットエラーをカウントする（Ｓ２１２）。そして、エラー判定回路１１１は、カウント値が０を超えたか否か、即ち、ビットエラーが発生したか否かを判定する（Ｓ２１３）。エラー判定回路１１１は、これらステップＳ２１２、Ｓ２１３によって、エラー判定（Ｓ２１２、Ｓ２１３）を実行する。
【００４２】
エラー判定回路１１１は、カウント値が０を超え、エラーがあると判定した場合には、不良と判定して処理を終了する（Ｓ２１５）。
エラー判定回路１１１は、カウント値が０のままであり、エラーがないと判定した場合には、ΔＧ／Δｔを所定値だけ増加させる（Ｓ２１４）。ここで所定値は、固定値であってもよく、異なる複数値から選択された値であってもよい。
【００４３】
ゲイン誤差発生回路１１０は、所定値だけ増加したΔＧ／Δｔに従って変化する出力値を、予め定められた期間だけ、ＰＳＦ１０７を通過した後の信号に対して印加する。印加後の信号は、ゲイン誤差発生回路１１０からの出力値が変化するため、同じように変化する。具体的には、印加後の信号は、一定の割合で増加する。
【００４４】
ＡＧＣ１０８は、一定の割合で増加していく信号を入力し、ゲイン調整の後、デジタル信号復調器１０９に対して信号を出力する。デジタル信号復調器１０９は、ゲイン調整された後の信号を復調処理し、受信データを生成する。
【００４５】
エラー判定回路１１１は、この受信データと、送信データとを入力して、再度、ステップＳ２１２及びＳ２１３のエラー判定処理を実行する。このとき、エラー判定回路１１１は、ゲイン誤差発生回路１１０から出力値を変化させる、予め定められた期間、複数回に亘って、エラー判定処理を実行するようにしてもよい。
そして、エラー判定回路１１１は、カウント値が０のままであり、エラーがないと判定した場合には、ΔＧ／Δｔを所定値だけ増加させ（Ｓ２１４）、エラーが発生するまでこれを繰り返す（Ｓ２１２~Ｓ２１４）。
【００４６】
図７が示すように、シンボルレートの増加とともにＡＧＣ１０８の追従速度も速くできるため、エラー発生しきい値である許容ΔＧ／Δｔも大きくなる。ＡＧＣ１０８にΔＧ／Δｔを印加することにより、ＡＧＣ１０８の追従速度以上のゲイン誤差に対する受信器の許容範囲、即ちエラー発生しきい値を測定する。
第２の実施の形態によって、傾きを持ったレベル変動量ΔＧ／Δｔ、即ち、レベル変動速度に関するエラー発生しきい値を求めることができ、そしてこのエラー発生しきい値を用いて無線受信機のシンボルエラーの検査判定ができる。よって、図７で示したように、シンボルレートに応じた検査が可能となる。
【００４７】
発明の実施の形態３．
図１１は、本発明の第３の実施の形態による無線送受信器の検査方法を示す図である。図１５は、第３の実施の形態のフローチャートを示している。送信器１及び受信器２に、波形整形フィルタ１０２、１０７を迂回する回路１１３、１１４を設けている。そして、ゲイン誤差算出回路１１２を備える信号レベル測定装置２１をＡＧＣ１０８の出力に接続する。本実施の形態では、振幅変調をしないテストモードにて回路を動作させる。具体的には、変調器１０１の出力値を一定にする。例えば、ＱＰＳＫにするか、同一シンボルに固定するかの方法を採用する。
【００４８】
続いて、図１５に示すフローチャートを用いて、本実施の形態３にかかる無線送受信器の検査方法について説明する。
【００４９】
変調器１０１が出力した一定値の信号は、波形整形フィルタ１０２を迂回する（Ｓ３０１）。該信号は、波形整形フィルタ１０２を通すと安定しないため、該迂回回路１１３により、波形整形フィルタ１０２の影響を受けない信号を入力することができる。
【００５０】
該信号は、送信器１の各構成要素（１０３、１０４）にて各処理を実行し、送信信号を受信器２に出力する。受信器２は、送信信号を入力し、波形整形フィルタ１０７を迂回した各構成要素（１０５、１０６、１０８）にて各処理を実行し、受信データを出力する。次にゲイン誤差算出回路１１２は、受信器２側で信号レベル変動量（ΔＧ）を、ＡＧＣ１０８がゲイン調整した後の信号出力から測定する（Ｓ３０２）。
【００５１】
ゲイン誤差算出回路１１２には予め変調器１０１の一定出力値が入力されており、計測した出力信号との比較により信号レベル変動が計測できる。この方法を用いると、変調器の一定出力値に対する、ＤＡＣ１０３、送信ゲイン可変アンプ１０４、受信ゲイン可変アンプ１０５、ＡＤＣ１０６の影響による信号レベル変動量（ΔＧ）が計算できる。次に、ゲイン誤差算出回路１１２は、信号レベル変動量とエラーを発生しないかどうかの判定を行う（Ｓ３０３）。ゲイン誤差算出回路１１２は、エラー判定の後、処理を終了する（Ｓ３０４）。
【００５２】
エラー判定は、あらかじめ第１の実施の形態の手法等により図９のような信号の変動量とエラーとの関係が求められていた場合に、本実施の形態で測定した信号の変動量（ΔＧ）によりエラーを発生しないかどうかの判定が可能となる。第３の実施の形態を用いると、第１・２のようなエラー判定回路やゲイン誤差発生回路１１０は不要となる。また、エラー判定は計測された値で判断するため、第１、第２の実施の形態のようにエラー判定のステップが必要でなくなり、検査時間を短縮できる。エラー判定は、エラーとなる値とならなくてもエラー値までの一定のマージン（閾値）との比較としてもよい。
【００５３】
発明の実施の形態４．
図１２は、本発明の第４の実施の形態による無線送受信器の検査方法を示す図である。図１６は、第４の実施の形態のフローチャートを示している。本実施の形態は、受信器２内の回路で信号レベル変動量（ΔＧ／Δｔ）を測定する。第３の実施の形態の構成と異なって、ＡＧＣ１０８の入力にゲイン誤差算出回路１１２を備える信号レベル測定装置２１を接続する。
【００５４】
第３の実施の形態と同様に、送信器１及び受信器２に、波形整形フィルタ（１０２、１０７）を迂回する回路（１１３、１１４）を付ける。そして、信号レベル測定装置２１をＡＧＣ１０８の入力に接続する。信号レベル測定装置２１の接続は、ＡＤＣ１０６の出力に接続しても良い。この場合、受信器２の迂回回路（１１４）は不要となる。本実施の形態も、振幅変調をしないテストモードにて回路を動作させ、変調器１０１の出力値を一定にする。続いて、図１６に示すフローチャートを用いて、本実施の形態４にかかる無線送受信器の検査方法について説明する。
【００５５】
変調器１０１が出力した一定値の信号は、波形整形フィルタ１０２を迂回する（Ｓ３１１）。該信号は、送信器１の各構成要素（１０３、１０４）にて各処理を実行し、送信信号を受信器２に出力する。受信器２は、該信号を入力し、各構成要素（１０５、１０６）にて各処理を実行し、受信データを出力する。次にゲイン誤差算出回路１１２が受信器２側で信号レベル変化速度を、迂回した波形整形フィルタ１０７の信号出力から測定する（Ｓ３１２）。
【００５６】
第３の実施の形態と同様に、ゲイン誤差算出回路１１２には予め変調器１０１の一定出力値が入力されており、計測した出力信号との比較により信号レベル変化速度（ΔＧ／Δｔ）が計測できる。この方法を用いると、変調器の一定出力値に対する、ＤＡＣ１０３、送信ゲイン可変アンプ１０４、受信ゲイン可変アンプ１０５、ＡＤＣ１０６の影響による信号レベル変化速度が計算できる。次に、ゲイン誤差算出回路１１２は、信号レベル変化速度と、発明の実施の形態２に記載された方法により予め測定された、信号レベル変化速度に関するエラー発生しきい値とを比較することにより、エラーを発生しないかどうかの判定を行う（Ｓ３１３）。ゲイン誤差算出回路１１２は、エラー判定の後、処理を終了する（Ｓ３１４）。エラー判定の手法は、第３の実施の形態と同様である。
【００５７】
第４の実施の形態を用いることで、傾きを持った信号レベル変化速度に関するエラー発生しきい値を用いて受信器のエラーを検査判定できる。よって、該方法により図７で示したように、シンボルレートに応じた検査が可能となる。
【００５８】
なお、第４の実施の形態において、変調器１０１から一定の振幅を有する一定出力値が出力されるようにしたが、これに限らず、一定の信号レベル変化速度を有するものであれば、信号レベル変化がない一定出力値でなくてもよい。
【００５９】
上記の検査方法は、例えば、送信器、受信器の製造過程における製品のばらつきの検査等に適用できる。
【００６０】
なお、本発明は上記実施の形態に限られたものではなく、趣旨を逸脱しない範囲で適宜変更することが可能である。例えば、超多値変調方式を用いる装置一般に適用してもよい。また、ＩＣ・ＬＳＩ一般の測定に応用してもよい。
【００６１】
その他の実施の形態
上記形態で説明した無線送受信器の検査方法は、ＡＳＩＣ（Application Specific Integrated Circuit）を含む半導体処理装置を用いて実現されてもよい。また、これらの処理は、少なくとも１つのプロセッサ（e.g. マイクロプロセッサ、ＭＰＵ、ＤＳＰ（Digital Signal Processor））を含むコンピュータシステムにプログラムを実行させることによって実現されてもよい。具体的には、これらの送信信号処理又は受信信号処理に関するアルゴリズムをコンピュータシステムに行わせるための命令群を含む１又は複数のプログラムを作成し、当該プログラムをコンピュータに供給すればよい。
【００６２】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６３】
さらに、上述した実施の形態は本件発明者により得られた技術思想の適用に関する例に過ぎない。すなわち、当該技術思想は、上述した実施の形態のみに限定されるものではなく、種々の変更が可能であることは勿論である。
【００６４】
例えば、上記の実施形態の一部又は全部は、以下の付記のようにも記載されうるが、以下には限られない。
（付記１）
多値変復調機能を有する無線送受信機の検査方法であって、
前記無線送受信機に含まれる無線送信器の出力を無線受信器に接続するステップと、
前記無線送信器に対して送信データを入力するステップと、
複数の値が異なるゲイン誤差を発生させて、前記無線受信器において復調前の受信信号に対して印加するステップと、
前記複数の値が異なるゲイン誤差が印加された受信信号を復調することで得られた複数の受信データのそれぞれについて前記送信データと比較することにより、エラー判定を実行するステップと、
前記エラー判定の結果に基づいてエラー発生しきい値を求めるステップを備えた、
無線送受信機の検査方法。
（付記２）
前記ゲイン誤差を復調前の受信信号に対して印加するステップでは、
前記ゲイン誤差をデジタル変換後であって復調前の受信信号に対して印加する、
付記１記載の無線送受信機の検査方法。
（付記３）
前記ゲイン誤差を復調前の受信信号に対して印加するステップでは、
前記ゲイン誤差を自動ゲイン調整後であって復調前の受信信号に対して印加する、
付記１記載の無線送受信機の検査方法。
（付記４）
変調器から一定振幅を有する信号が出力されるように調整された前記無線送信器に接続された前記無線受信器における復調前の受信信号と、前記変調から出力された送信信号を比較して信号レベル変動量を測定するステップと、
測定により得られた信号レベル変動量と、前記エラー発生しきい値とを比較して、エラーが発生しないかどうかの判定を行うステップを備える、
付記１記載の無線送受信機の検査方法。
（付記５）
多値変復調機能を有する無線送受信機の検査方法であって、
前記無線送受信機に含まれる無線送信器の出力を無線受信器に接続するステップと、
前記無線送信器に対して送信データを入力するステップと、
それぞれ異なる複数の変化速度を有するゲイン誤差を、デジタル変換後であって自動ゲイン調整前の受信信号に対して印加するステップと、
前記複数の変化速度のゲイン誤差が印加された受信信号を復調することで得られた複数の受信データのそれぞれについて前記送信データと比較することにより、エラー判定を実行するステップと、
前記エラー判定の結果に基づいてエラー発生しきい値を求めるステップを備えた、
無線送受信機の検査方法。
（付記６）
変調器から一定の変化速度（変化速度がゼロの場合も含む）を有する信号が出力されるように調整された前記無線送信器に接続された前記無線受信器において復調前の受信信号と、前記変調から出力された送信信号を比較して信号レベル変化速度を測定するステップと、
測定により得られた信号レベル変化速度と、前記エラー発生しきい値とを比較して、エラーが発生しないかどうかの判定を行うステップを備える、
付記５記載の無線送受信機の検査方法。
（付記７）
多値変復調機能を有する無線送受信機の検査システムであって、
前記無線送受信機に含まれる無線送信器の出力を無線受信器に接続した状態で、複数の値が異なるゲイン誤差を発生させて、前記無線受信器において復調前の受信信号に対して印加する手段と、
前記複数の値が異なるゲイン誤差が印加された受信信号を復調することで得られた複数の受信データのそれぞれについて前記送信データと比較することにより、エラー判定し、エラー発生しきい値を求める手段を備えた、
検査システム。
（付記８）
前記ゲイン誤差を復調前の受信信号に対して印加する手段では、
前記ゲイン誤差をデジタル変換後であって復調前の受信信号に対して印加する、
付記７記載の検査システム。
（付記９）
前記ゲイン誤差を復調前の受信信号に対して印加する手段では、
前記ゲイン誤差を自動ゲイン調整後であって復調前の受信信号に対して印加する、
付記７記載の検査システム。
（付記１０）
変調器から一定振幅を有する信号が出力されるように調整された前記無線送信器に接続された前記無線受信器における復調前の受信信号と、前記変調から出力された送信信号を比較して信号レベル変動量を測定する手段と、
測定により得られた信号レベル変動量と、前記エラー発生しきい値とを比較して、エラーが発生しないかどうかの判定を行う手段をさらに備える、
付記７記載の検査システム。
（付記１１）
前記無線送信器及び前記無線受信器において、少なくともいずれか一方に設けられた波形整形フィルタを迂回する迂回経路を設け、前記信号レベル変動量を測定する場合には、信号を、当該迂回経路を通過させる、
付記１０記載の検査システム。
（付記１２）
多値変復調機能を有する無線送受信機の検査システムであって、
前記無線送受信機に含まれる無線送信器の出力を無線受信器に接続した状態で、それぞれ異なる複数の変化速度を有するゲイン誤差を、デジタル変換後であって自動ゲイン調整前の受信信号に対して印加する手段と、
前記複数の変化速度のゲイン誤差が印加された受信信号を復調することで得られた複数の受信データのそれぞれについて前記送信データと比較することにより、エラー判定を実行し、エラー発生しきい値を求めるステップを備えた、
検査システム。
（付記１３）
変調器から一定の変化速度（変化速度がゼロの場合も含む）を有する信号が出力されるように調整された前記無線送信器に接続された前記無線受信器において復調前の受信信号と、前記変調から出力された送信信号を比較して信号レベル変化速度を測定する手段と、
測定により得られた信号レベル変化速度と、前記エラー発生しきい値とを比較して、エラーが発生しないかどうかの判定を行う手段を備える、
付記１１記載の検査システム。
（付記１４）
前記無線送信器及び前記無線受信器において、少なくともいずれか一方に設けられた波形整形フィルタを迂回する迂回経路を設け、前記信号レベル変化速度を測定する場合には、信号を、当該迂回経路を通過させる、
付記１３記載の検査システム。
（付記１５）
多値変復調機能を有する無線受信機であって、
無線送信器から送信データを変調した送信信号を受信した状態で、複数の値が異なるゲイン誤差を発生させて、復調前の受信信号に対して印加する手段と、
前記複数の値が異なるゲイン誤差が印加された受信信号を復調することで得られた複数の受信データのそれぞれについて前記送信データと比較することにより、エラー判定し、エラー発生しきい値を求める手段を備えた、
無線受信機。
（付記１６）
前記ゲイン誤差を復調前の受信信号に対して印加する手段では、
前記ゲイン誤差をデジタル変換後であって復調前の受信信号に対して印加する、
付記１５記載の無線受信機。
（付記１７）
前記ゲイン誤差を復調前の受信信号に対して印加する手段では、
前記ゲイン誤差を自動ゲイン調整後であって復調前の受信信号に対して印加する、
付記１５記載の無線受信機。
（付記１８）
多値変復調機能を有する無線受信機であって、
無線送信器から送信データを変調した送信信号を受信した状態で、それぞれ異なる複数の変化速度を有するゲイン誤差を、デジタル変換後であって自動ゲイン調整前の受信信号に対して印加する手段と、
前記複数の変化速度のゲイン誤差が印加された受信信号を復調することで得られた複数の受信データのそれぞれについて前記送信データと比較することにより、エラー判定を実行し、エラー発生しきい値を求める手段を備えた、
無線受信機。
【符号の説明】
【００６５】
１  送信器
２  受信器
３  検査システム
２０  信号レベル測定装置
２１  信号レベル測定装置
１０１  デジタル信号変調器
１０２  送信波形整形フィルタ
１０３  ＤＡ変換器
１０４  送信ゲイン可変アンプ
１０５  受信ゲイン可変アンプ
１０６  ＡＤ変換器
１０７  受信波形整形フィルタ
１０８  自動ゲイン調整回路
１０９  デジタル信号復調器
１１０  ゲイン誤差発生回路
１１１  エラー判定回路
１１２  ゲイン誤差算出回路
１１３  迂回回路
１１４  迂回回路
２００  処理部
４０２  信号レベル検出器
４０３  ＡＤ変換器
４０４  デジタル制御回路
４０５  ＤＡ変換器
４０６  ノイズ
【図１】
2014090236.tif 000003
【図２】
2014090236.tif 000004
【図３】
2014090236.tif 000005
【図４】
2014090236.tif 000006
【図５】
2014090236.tif 000007
【図６】
2014090236.tif 000008
【図７】
2014090236.tif 000009
【図８】
2014090236.tif 000010
【図９】
2014090236.tif 000011
【図１０】
2014090236.tif 000012
【図１１】
2014090236.tif 000013
【図１２】
2014090236.tif 000014
【図１３】
2014090236.tif 000015
【図１４】
2014090236.tif 000016
【図１５】
2014090236.tif 000017
【図１６】
2014090236.tif 000018
【図１７】
2014090236.tif 000019